(57)【要約】      （修正有）【課題】ベースフレームの高さとベッドフレームの傾斜角度が調整可能で、介護者が被介護者に簡単に寝返りを打たせることができる電動ベッドを提供する。【解決手段】ボトムフレーム１と、リフティングセット２と、ベースフレーム３と、ベッドフレーム４と、ベース昇降ユニットと、上部昇降ユニットと、足部昇降ユニットとを備える組み立ての電動ベッドであって、リフティングセットは、ボトムフレームに設けられ、ベースフレームは、リフティングセットに設けられ、ベッドフレームは、着脱可能にベースフレームに設けられ、ベース昇降ユニットは、リフティングセットに設けられベースフレームを連結し、上部昇降ユニットと足部昇降ユニットは、共にベースフレームに設けられベッドフレームを連結する。【選択図】図１
0003224889.tif 000002
【実用新案登録請求の範囲】
【請求項１】
ボトムフレームと、リフティングセットと、ベースフレームと、ベッドフレームと、ベース昇降ユニットと、上部昇降ユニットと、足部昇降ユニットとを備える組み立ての電動ベッドであって、
前記リフティングセットは、ボトムフレームに設けられ、
前記ベースフレームは、リフティングセットに設けられ、
前記ベッドフレームは、着脱可能にベースフレームに設けられ、
前記ベース昇降ユニットは、リフティングセットに設けられベースフレームを連結し、
前記上部昇降ユニットは、ベースフレームに設けられベッドフレームを連結し、
前記足部昇降ユニットは、ベースフレームに設けられベッドフレームを連結することを特徴とする電動ベッド。
【請求項２】
前記ボトムフレームの４隅部には組立ボードが設けられて、
前記リフティングセットは、ロッド、第一リンクロッド、第一横ロッド、固定シート、二つの第一昇降ロッド、第二リンクロッド、第二横ロッドおよび二つの第二昇降ロッドを有し、
前記第一リンクロッドは、ロッドの一端に接続され、前記第一リンクロッドと第一横ロッドとをカップリングされ、前記二つの第一昇降ロッド各別に第一横ロッドの両端に接続され、ロッドの他端が前記第二リンクロッドに接続され、第二リンクロッドと第二横ロッドとをカップリングされ、二つの第二昇降ロッドは各別に第二横ロッドの両端に接続され、二つの第一昇降ロッドと二つの第二昇降ロッドは組立ボードに接続され、固定シートはロッドが第一リンクロッドに近接する位置に設けられることを特徴とする、請求項１に記載の電動ベッド。
【請求項３】
前記ベースフレームは、メーンフレーム、パター、二つの固定プレート、二つの活動板、二つのスライドレール、フレームロッド、サポート座、ターニングロッド、複数の側板ベース、４つの立板および4つのレールボードを含み、
前記スライドレールは、各別にメーンフレームの両側に接続され、各活動板はホイールを有し、ホイールは前記スライドレールのうちに移動できて、前記固定プレートは各別に二つの活動板とを接続され、
前記パターの両端が各別に二つの活動板とを接続され、さらに、パターはプッシュボードを有し、前記メーンフレームにフレームロッドを設け、前記フレームロッドにサポート座を設けて、前記ターニングロッドはメーンフレームに接続され、二つの固定座とラックとを含むことを特徴とする、請求項２に記載の電動ベッド。
【請求項４】
前記ベース昇降ユニットと、上部昇降ユニットと、足部昇降ユニットとを電気接続するコントロールユニットは上部昇降ユニットに定着され、さらに、コントローラーを含んで、また、前記足部昇降ユニットの一端はメインフレームに設けられ、他端はラックとを連結し、前記ベース昇降ユニットの一端が固定シートに定着され、他端はサポート座とを連結することを特徴とする、請求項３に記載の電動ベッド。
【請求項５】
前記ベースフレームの前後にさらに二つのべッドボードがあり、各べッドボードは二つのレールセットと二つのロックユニットを含んで、各ロックユニットは前記レールセットに設置され、
前記ベースフレームは４つのレールボードを含み、レールボードは前記メーンフレームの四つの端部に取り付けられ、
前記レールセットは、ロックユニットによってロックされることを特徴とする、請求項３項に記載の電動ベッド。
【請求項６】
前記ベッドフレームは、バックフレーム、第一ミドルフレーム、第二ミドルフレーム及び腿フレームを有し、
バックフレームは取り外せて前記固定プレートに設けられ、
バックフレームの一端は前記第一ミドルフレームに接続され、
第一ミドルフレームは前記第二ミドルフレームに接続され、
第二ミドルフレームは前記腿フレームに接続され、
腿フレームは取り外せて前記固定座に設けられることを特徴とする、請求項３に記載の電動ベッド。
【請求項７】
前記フレームロッドに昇降ユニット固定座を設置され、
前記バックフレームの上端に二つのクッションを設置し、
前記バックフレームまたは腿フレームの一面にフックを設置され、
前記固定プレートまたは固定座にホールスロットを設けられ、簡易に連結されることを特徴とする、請求項６に記載の電動ベッド。
【請求項８】
前記ボトムフレームの４隅部にキャスタまたは滑り止めスリーブを設けることを特徴とする、請求項１に記載の電動ベッド。
【請求項９】
前記ベースフレームは複数の側板ベースがあり、各側板ベースはメーンフレームの両側に設けられ、側板または可動式側板の固定できることを特徴とする、請求項３に記載の電動ベッド。
【請求項１０】
前記側板ベースは８個があり、前記メーンフレームの両側に四個ずつを設置することを特徴とする、請求項９に記載の電動ベッド。
【考案の詳細な説明】
【技術分野】
【０００１】
本考案は、電動ベッドに関し、より詳しくは、ベースフレームの高さが調整でき、ベッドフレームの傾斜角度を調整可能な組み立ての電動ベッドに関する。
【背景技術】
【０００２】
高齢者とか患者とか怪我者などのケアすることが大事なのに、介護者にとって不便利だし、大変なのことである。それに、寝たきりの患者は常時にベッドに横になるので、患者の体を定期的に拭かれないと、床ずれが生成になることと恐れにある。
【０００３】
つまり、癒えにくい潰瘍を背中に生成させることを避けるため、介護者は定時に患者の裏返しを助けてしなければならない。
【０００４】
以上の状況と欠点を克服し、在宅のケアの最適のベッドを提供するため、本考案人は本考案の電動ベッドを開発され、介護者がこの電動ベッドを利用して被介護者などのケアが楽になるようにすることができる。
【考案の概要】
【考案が解決しようとする課題】
【０００５】
本考案は、上記の背景技術の問題を解決する為になされたものであり、即ち、本考案の目的は、ベースフレームの高さが調整でき、ベッドフレームの傾斜角度を調整可能な電動ベッドを提供し、これにより、介護者は被介護者に簡単に寝返りを打たせることができる。
【課題を解決するための手段】
【０００６】
上記目的を達成するための本考案に係る電動ベッドは、ボトムフレームと、前記ボトムフレームに設けたリフティングセットと、前記リフティングセットに設けたベースフレームと、前記ベースフレームに簡単に着脱できたベッドフレームと、前記リフティングセットに設けてベースフレームを連結したベース昇降ユニットと、前記ベースフレームに設けてベッドフレームを連結した上部昇降ユニットと、前記ベースフレームに設けてベッドフレームを連結した足部昇降ユニットとを備える。
【０００７】
前記ベッドフレームは、可動式側板または側板ベースを有し、前記ボトムフレームの４隅部にキャスタは又は滑り止めスリーブを設ける。
【０００８】
前記ボトムフレームの４隅部には組立ボードを設けられ、前記リフティングセットは、ロッド、第一リンクロッド、第一横ロッド、固定シート、二つの第一昇降ロッド、第二リンクロッド、第二横ロッドおよび二つの第二昇降ロッドを有する。前記ロッドは一端が第一リンクロッドに接続され、第一リンクロッドと第一横ロッドとをカップリングされ、二つの第一昇降ロッド各別に第一横ロッドの両端に接続される。ロッドの他端が第二リンクロッドに接続され、第二リンクロッドと第二横ロッドとをカップリングされ、二つの第二昇降ロッドは各別に第二横ロッドの両端に接続される。前記二つの第一昇降ロッドと二つの第二昇降ロッドは前記組立ボードに接続され、前記ボトムフレームに対して昇降可能している。なお、前記固定シートはロッドが第一リンクロッドに近接する位置に設けられる。
【０００９】
前記ベースフレームはメーンフレーム、パター、二つの固定プレート、二つの活動板、二つのスライドレール、フレームロッド、サポート座、ターニングロッドおよび4つの立板を含む。前記二つのスライドレールは各別にメーンフレームの両側に接続され、各活動板はホイールを有し、ホイールはスライドレールのうちに移動できる。二つの固定プレートは各別に二つの活動板とを接続し、パターの両端が各別に二つの活動板とを接続する。さらに、パターはプッシュボードを有し、メーンフレームにフレームロッドを設け、フレームロッドAにサポート座を設けられる。ターニングロッドはメーンフレームに接続され、固定座とラックとを含む。
【００１０】
本考案は、さらに、前記のベース昇降ユニット、上部昇降ユニットと、足部昇降ユニットとを電気接続されるコントロールユニットを有し、ベース昇降ユニットの一端が固定シートに定着され、他端はサポート座とを連結する。上部昇降ユニットの一端はメインフレームに設けられ、他端はプッシュボードとを連結する。足部昇降ユニットの一端はメインフレームに設けられ、他端はラックとを連結する。
【００１１】
本考案は、また、前記ベースフレームの前後に設けられた二つのべッドボードを有し、各べッドボードは二つのレールセットと二つのロックユニットを含んで、ロックユニットはレールセットに設置される。前記ベースフレームは、また、メインフレームの４隅部に４つのレールボードを設け、レールセットはレールボードにスライド可能に設置され、ロックユニットでロックすることができる。
【００１２】
前記ベッドフレームは、バックフレーム、第一ミドルフレーム、第二ミドルフレーム及び腿フレームを有する。バックフレームは取り外せて固定プレートに設けられ、バックフレームの他端は第一ミドルフレームに接続される。第一ミドルフレームは第二ミドルフレームに接続され、第二ミドルフレームは腿フレームに接続される。腿フレームは取り外せて固定座に設けられる。なお、前記ベースフレームは、可動式側板又は複数の側板ベースを有し、複数の側板ベースはメーンフレームの両側に設けられている。側板ベースは８個があり、メーンフレームの両側に四個ずつを設置する。
【００１３】
前記の昇降ユニット固定座はフレームロッドに設置され、バックフレームの一端に二つのクッションを設置する。バックフレームと固定プレートとの組み立ての使い方はフックとホールスロットを利用して、バックフレームまたは腿フレームの一面にフックが設置され、ホールスロットが固定プレートまたは固定座に設け、このような構造によって、バックフレームは固定プレートに連結され、或いは腿フレームは固定座に連結される。なお、腿フレームは二つのホイールを有し、ホイールがメインフレームの上をロールすることができる。
【００１４】
以上の述べるのように、本考案に係る電動ベッドに使用されたベッドベース昇降ユニットではベースフレームの高さを調整できて、上部昇降ユニットでバックフレームの傾きを調整できて、また、足部昇降ユニットは腿フレームの傾きを調整できる。介護者だけではなく、被介護者自身もコントロールユニットにより、ベッドの高さ及び傾斜角度を調節できる。
【考案の効果】
【００１５】
本考案によれば、ベースフレームの高さが調整でき、ベッドフレームの傾斜角度を調整可能な電動ベッドを提供し、これにより、介護者は被介護者に簡単に寝返りを打たせることができる。
【図面の簡単な説明】
【００１６】
【図１】本考案に係る電動ベッドの立体分解図である。
【図２】本考案に係る電動ベッドのリフティングセットとベースフレームの組み立ての概略図である。
【図３】本考案に係る電動ベッドのベッドボードである。
【考案を実施するための形態】
【００１７】
以下に、本考案における好適な実施の形態について、添付図面を参照して説明し、その所属する技術領域において通常の知識を具有する者によって本考案の優れを容易に理解できる、尚、以下に説明する実施の形態は、実用新案登録請求の範囲に記載された本考案の内容を限定するものではない。
【００１８】
図１〜３に基づいて説明する、本考案に係る電動ベッドはボトムフレーム１、リフティングセット２、ベースフレーム３、ベッドフレーム４、ベース昇降ユニット５０、上部昇降ユニット５２、コントロールユニット５３、足部昇降ユニット５４および前後のべッドボード６を備える。
【００１９】
図１〜２に示すように、ボトムフレーム１の４隅部には組立ボード１０を設けられ、なお、ボトムフレーム１の４隅部にキャスタ（図示せず）が回転可能に配置されており、前記キャスタが電動ベッドの移動と定位のため設計され、さらに、電動ベッドが自由にまたは意外に滑りの防止のため４隅部にも滑り止めスリーブを設ける（図示せず）。
【００２０】
リフティングセット２は、ロッド２５、第一リンクロッド２０、第一横ロッド２１、固定シート２２、二つの第一昇降ロッド２３、第二リンクロッド２４、第二横ロッド２６および二つの第二昇降ロッド２７を有する。ロッド２５は一端が第一リンクロッド２０に接続され、第一リンクロッド２０と第一横ロッド２１とをカップリングされ、二つの第一昇降ロッド２３各別に第一横ロッド２１の両端に接続される。ロッド２５の他端が第二リンクロッド２４に接続され、第二リンクロッド２４と第二横ロッド２６とをカップリングされ、二つの第二昇降ロッド２７は各別に第二横ロッド２６の両端に接続される。二つの第一昇降ロッド２３と二つの第二昇降ロッド２７は組立ボード１０に接続され、ボトムフレーム１に対して昇降可能している。なお、固定シート２2はロッド２５が第一リンクロッド２０に近接する位置に設けられる。                              
【００２１】
ベースフレーム３はメーンフレームC、パター３０、二つの固定プレート３２、二つの活動板３３、二つのスライドレール３４、フレームロッドA、サポート座３５、ターニングロッド３６、複数の側板ベース３７、４つの立板３８および4つのレールボード３９を含む。
【００２２】
二つのスライドレール３４は各別にメーンフレームCの両側に接続され、各活動板３３はホイール３３０を有し、ホイール３３０はスライドレール３４のうちに移動できる。二つの固定プレート３２は各別に二つの活動板３３とを接続され、パター３０の両端が各別に二つの活動板３３とを接続される。さらに、パター３０はプッシュボード３１を有し、メーンフレームCにフレームロッドAを設け、フレームロッドAにサポート座３５を設けて、昇降ユニット固定座BはフレームロッドAに設置される。ターニングロッド３６はメーンフレームCに接続され、二つの固定座３６０とラック３６１とを含んで、複数の側板ベース３７はメーンフレームCに対して回動可能に各別にメーンフレームCの両側に設けられている。この実施形態において、側板ベース３７は8個があり、メーンフレームCの両側に四個ずつを設置し、側板または可動式側板（図示せず）の組み立てを提供する。図２を参照して、4つの立板３８はメーンフレームCの底部の四箇所に取り付けられ、それに、二つの第一昇降ロッド２３と二つの第二昇降ロッド２７に接続される。また、図２に示すようなレールボード３９はメーンフレームCの四つの端部に取り付けられる。
【００２３】
ベッドフレーム４は、バックフレーム４０、第一ミドルフレーム４１、第二ミドルフレーム４２及び腿フレーム４３を有する。バックフレーム４０は取り外せて固定プレート３２に設けられ、バックフレーム４０の上端に二つのクッション４００を設置し、他端は第一ミドルフレーム４１に接続される。第一ミドルフレーム４１は第二ミドルフレーム４２に接続され、第二ミドルフレーム４２は腿フレーム４３に接続される。腿フレーム４３は取り外せて固定座３６０に設けられる。本実施形態で、組み立ての使い方はフックとホールスロットを利用して、バックフレーム４０または腿フレーム４３の一面にフックが設置され、ホールスロットが固定プレート３２または固定座３６０に設け、このような構造によって、バックフレーム４０は固定プレート３２に連結され、或いは腿フレーム４３は固定座３６０に連結され、簡単に装着できる。逆に、取り外し場合にも簡単にできる。なお、腿フレーム４３は二つのホイール４３０を有し、ホイール４３０がメインフレームＣの上を転がって、ローリング範囲は側板ベース３７によって制限される。
【００２４】
ベース昇降ユニット５０の一端が固定シート２２に定着され、他端はサポート座３５とを連結する。上部昇降ユニット５２の一端はメインフレームＣに設けられ、他端はプッシュボード３１とを連結する。足部昇降ユニット５４の一端はメインフレームＣに設けられ、他端はラック３６１とを連結する。さらに、コントロールユニット５３はベース昇降ユニット５０、上部昇降ユニット５２と、足部昇降ユニット５４とを電気接続し、さらに、コントローラーを含んでいる。この実施形態に係り、ロールユニット５３は上部昇降ユニット５２に定着される。それに、ベース昇降ユニット５０、上部昇降ユニット５２及び足部昇降ユニット５４は空気圧シリンダーまたは油圧シリンダーを使用することができる。
【００２５】
ベースフレーム３の前後に設けられた二つのべッドボード６は、ずつ二つのレールセット６１と二つのロックユニット６２を含んで、ロックユニット６２はレールセット６１に設置され、レールセット６１はスライー可能にレールボード３９を連結する。レールセット６１はロックユニット６２によってロックし、べッドボード６はベースフレーム３に定着できる。ロックを解除すると、べッドボード６は簡単にベースフレーム３から取り外すが出来るように構成されていることである。
【００２６】
図１及び図２を参照して、コントロールユニット５３のコントローラーは    上部昇降ユニット５２の昇降の指令を受けると、上部昇降ユニット５２はコントロールユニット５３に作動されて、プッシュボード３１を押して、連帯的にパター３０を連動し、果して、ホイール３３０はスライドレール３４の上に直線的に往復移動できて、活動板３３はメインフレームＣに相対的に昇降することができて、それに、固定プレート３２もメインフレームＣに相対的に昇降することができる。バックフレーム４０が固定プレート３２を連動し、メインフレームＣに相対的に昇降することができる。バックフレーム４０はユーザーの好みで、水平位置からチルト位置に変位させること出来て、水平位置を維持させる場合、クッション４００を使用するため、バックフレーム４０とメインフレームＣとの衝突を避ける。
【００２７】
コントロールユニット５３のコントローラーは腿フレーム４３の昇降の指令を受けると、足部昇降ユニット５４は腿フレーム４３に作動されて、ラック３６１を押して、連帯的にターニングロッド３６を連動し、果して、固定座３６０はメインフレームＣに相対的に昇降することができる。それに、固定座３６０は腿フレーム４３を連動し、ホイール４３０はメインフレームＣの側端に沿って移動できて、腿フレーム４３とメインフレームＣとの摩擦を避ける。腿フレーム４３が水平位置からチルト位置に変位させること出来て、ユーザーの好みで、チルト角度を調整させることができる。
【００２８】
コントロールユニット５３のコントローラーはベースフレーム３の昇降の指令を受けると、ベース昇降ユニット５０はコントロールユニット５３に作動されて、ロッド２５を連動する。ロッド２５は第一リンクロッド２０と第二リンクロッド２４を連動し、第一リンクロッド２０は第一横ロッド２１を駆動し、つきに、第一横ロッド２１は第一昇降ロッド２３を駆動する。第二リンクロッド２４は第二横ロッド２６を駆動し、第二横ロッド２６は第二昇降ロッド２７を駆動する。移動している第一昇降ロッド２３と第二昇降ロッド２７はボトムフレーム１に対して前後にスイングをさせて、さらに、ベースフレーム３はボトムフレーム１に対して上昇又は下降をさせる。ユーザーの好みで、ベースフレーム３の高さを調整されることができる。
【００２９】
以上のことから、本考案に係る電動ベッドに使用されたベッドベース昇降ユニット５０ではベースフレーム３の高さを調整できて、上部昇降ユニット５２でバックフレーム４０の傾きを調整できて、また、足部昇降ユニット５４は腿フレーム４３の傾きを調整できる。介護者だけではなく、被介護者自身もコントロールユニット５３により、ベッドの高さ及び傾斜角度を調節できる。
【００３０】
以上の説明は、本考案の好ましい実施形態に過ぎず、本考案に対して何ら形式上の限定を行うものではない。本考案は好ましい実施形態によって上記のように開示されているが、それは本考案を限定するためのものではなく、すべての当業者が、本考案の技術構想を逸脱しない範囲において、上記に開示する技術内容を用いて変更および修飾を行った等価の実施形態で、且つ本考案の技術構想の内容を逸脱しないものは、本考案の技術的本質に基づいて上記の実施形態に対して行われたいかなる簡単な修正、等価の変更および修飾も、依然としてすべて本考案の技術構想の範囲内にある。
【符号の説明】
【００３１】
１        ボトムフレーム
１０      組立ボード
２          リフティングセット
２０      第一リンクロッド
２１      第一横ロッド
２２      固定シート
２３      第一昇降ロッド
２４      第二リンクロッド
２５      ロッド
２６      第二横ロッド
２７      第二昇降ロッド
３        ベースフレーム
３０      パタ
３１      プッシュボード
３２      固定プレート
３３      活動板
３３０    ホイール
３４      スライドレール
３５      サポート座
３６      ターニングロッド
３６０    固定座
３６１    ラック
３７      側板ベース
３８      立板
３９      レールボード
４        ベッドフレーム
４０      バックフレーム
４００    クッション
４１      第一ミドルフレーム
４２      第二ミドルフレーム
４３      腿フレーム
４３０    ホイール
５０      ベース昇降ユニット
５２      上部昇降ユニット
５３      コントロールユニット
５４      足部昇降ユニット
６        ベッドボード
６１      レールセット
６２      ロックユニット
Ａ        フレームロッド
Ｂ        昇降ユニット固定座
Ｃ        メインフレーム
【図１】
0003224889.tif 000003
【図２】
0003224889.tif 000004
【図３】
0003224889.tif 000005